(57)【要約】【課題】切断を高精度に行うことができる媒体切断装置及びその媒体切断装置を備えた記録装置を提供すること。【解決手段】吸引して保持している媒体を切断する媒体切断装置２００に、切断時に当該媒体の一部を押えて保持する保持機構２２０を備える。この保持機構２２０は、前記媒体を押圧する押圧部材２２１と、この押圧部材２２１を前記媒体に対し当接・離間させる駆動手段２２２とを備えている。これにより、媒体には吸引による保持力のみならず押えによる保持力も加わることになるので、媒体の切断時におけるズレを防止することができ、媒体を高精度に切断することができる。【選択図】      図４
2005014095.tif 000002
【特許請求の範囲】
【請求項１】
吸引して保持している媒体を切断する媒体切断装置であって、
切断時に当該媒体の一部を押えて保持する保持機構を備えたことを特徴とする媒体切断装置。
【請求項２】
前記保持機構は、搬送されてくる前記媒体を搬送方向と直交する方向に切断する際に当該媒体の一部を押えて保持することを特徴とする請求項１に記載の媒体切断装置。
【請求項３】
前記保持機構は、前記媒体の切断開始側を押えて保持することを特徴とする請求項１または２に記載の媒体切断装置。
【請求項４】
前記保持機構は、前記媒体を押圧する押圧部材と、この押圧部材を前記媒体に対し当接・離間させる駆動手段とを備えたことを特徴とする請求項１〜３の何れか一項に記載の媒体切断装置。
【請求項５】
記録媒体に記録して当該記録部分を切断する記録装置であって、
請求項１〜４の何れか一項に記載の媒体切断装置を備えたことを特徴とする記録装置。
【発明の詳細な説明】
【０００１】
【発明の属する技術分野】
本発明は、吸引して保持している媒体を切断する媒体切断装置及びその媒体切断装置を備えた記録装置に関する。
【０００２】
【従来の技術】
一般に、記録装置の１つである大型のインクジェット式プリンタは、記録完了したロール紙を吸引保持した状態でカッティングしている。すなわち、ロール紙を搬送案内に吸着させた後、カッタを主走査方向へ移動させることにより、ロール紙を幅方向にカッティングしている（特許文献１参照）。
【０００３】
【特許文献１】
特開２０００−１５８７３５号公報
【０００４】
【発明が解決しようとする課題】
上述したインクジェット式プリンタでは、吸引のみでロール紙を保持しているため、カッティングの抵抗が大きい場合はロール紙がズレてカッティングの方向が曲がってしまうおそれがある。
【０００５】
本発明は、上記のような種々の課題に鑑みなされたものであり、その目的は、切断を高精度に行うことができる媒体切断装置及びその媒体切断装置を備えた記録装置を提供することにある。
【０００６】
【課題を解決するための手段】
上記目的達成のため、本発明の媒体切断装置では、吸引して保持している媒体を切断する媒体切断装置であって、切断時に当該媒体の一部を押えて保持する保持機構を備えたことを特徴としている。これにより、媒体には吸引による保持力のみならず押えによる保持力も加わることになるので、媒体の切断時におけるズレを防止することができ、媒体を高精度に切断することができる。
【０００７】
また、前記保持機構は、搬送されてくる前記媒体を搬送方向と直交する方向に切断する際に当該媒体の一部を押えて保持することを特徴としている。これにより、一般的に吸引により保持されている媒体は吸引方向と直交する方向に掛かる力によりズレ易いが、媒体には吸引による保持力のみならず押えによる保持力も加わることになるので、媒体を搬送方向と直交する方向に切断する際にズレを防止することができる。
【０００８】
また、前記保持機構は、前記媒体の切断開始側を押えて保持することを特徴としている。これにより、切断開始点では媒体の下部に隙間が生じることは無く、さらに切断開始以降は切断方向に媒体が引っ張られるので媒体の下部に隙間が生じることが無いため、媒体を高精度に切断することができる。
【０００９】
また、前記保持機構は、前記媒体を押圧する押圧部材と、この押圧部材を前記媒体に対し当接・離間させる駆動手段とを備えたことを特徴としている。これにより、媒体を切断しないときは保持機構を退避させておくことができるので、媒体と保持機構とが干渉するような事態を防止することができる。
【００１０】
上記目的達成のため、本発明の記録装置では、記録媒体に記録して当該記録部分を切断する記録装置であって、上記各媒体切断装置を備えたことを特徴としている。これにより、上記各媒体切断装置の作用を奏する記録装置を提供することができる。
【００１１】
【発明の実施の形態】
図１は、本発明の実施の形態に係る媒体切断装置が適用された記録装置の１つであるインクジェット式プリンタの構成例を示す斜視図であり、図２は、そのインクジェット式プリンタの主要部の内部構成例を示す斜視図、図３は、その断面図である。図１〜図３に示すインクジェット式プリンタ１００は、例えばＪＩＳ規格のＡ１判やＪＩＳ規格のＢ１判といった比較的大型のサイズの用紙幅を有するロール紙に記録できる大型のプリンタである。このインクジェット式プリンタ１００は、本体部１１０内に記録部１２０と排紙部１３０と本実施形態に係る媒体切断装置２００が配設され、本体部１１０を支える脚部１４０の間に給紙部１５０が配設された構成となっている。
【００１２】
本体部１１０は、図１〜図３に示すように、記録部１２０と排紙部１３０を覆うプラスチックあるいは板金でなるハウジング１１１を備えている。そして、このハウジング１１１は、図１〜図３に示すように、上面及び前面が開放可能なように半透明もしくは透明のプラスチックあるいは板金でなる上蓋１１２及び前蓋１１３が配設されている。
【００１３】
上蓋１１２は、図１〜図３に示すように、後部が回動可能に支持されており、ユーザが前部を持って押し上げ、あるいは押し下げることにより開閉するようになっている。ユーザは、上蓋１１２を開けることにより記録部１２０及び排紙部１３０の上方を大きく開放することができるので、記録ヘッド１２１やキャリッジ１２２等のメンテナンス作業及び記録中や排紙中における紙ジャム等の用紙搬送エラーの解除作業等を容易に行うことができる。
【００１４】
前蓋１１３は、図１〜図３に示すように、下部が回動可能に支持されており、ユーザが上部を持って押し下げ、あるいは押し上げることにより開閉するようになっている。ユーザは、前蓋１１３を開けることにより記録部１２０及び排紙部１３０の下方を大きく開放することができるので、給紙中における紙ジャム等の用紙搬送エラーの解除作業等を容易に行うことができる。
【００１５】
また、本体１１０の前面側から見て右側下部には、図１及び図２に示すように、各色のインクカートリッジ１０を収納保持するホルダ本体１６１とその前面を覆うカバー１６２を有するインクカートリッジホルダ１６０が配設されている。このカバー１６２は、下部がホルダ本体１６１に対し回動可能に支持されており、ユーザが上部を持って押し下げ、あるいは押し上げることにより開閉するようになっている。ユーザは、カバー１６２を開けることによりホルダ本体１６１を大きく開放することができるので、インクカートリッジ１０の交換作業等を容易に行うことができる。
【００１６】
さらに、本体１１０の前面側から見て右側上部には、図１及び図２に示すように、ユーザが記録制御等を操作するための操作パネル１７０が配設されている。この操作パネル１７０は、液晶画面と各種ボタンが配設されており、ユーザが液晶画面を見て確認しながらボタン操作できるようになっている。ユーザは、視認による確実な操作を行うことができるので、動作エラーや動作ミス等を無くすことができる。
【００１７】
記録部１２０は、図２及び図３に示すように、記録ヘッド１２１を搭載したキャリッジ１２２、記録ヘッド１２１と記録を実行するための図示しない制御部とを電気的に接続するフレキシブルフラットケーブル（以下、ＦＦＣという）１２３、記録ヘッド１２１とインクが入ったインクカートリッジ１０とをつなぐインクチューブ１２４、ロール紙を搬送する紙送りローラ１２５とその従動ローラ１２６、ロール紙の浮き上がりを防止する図示しない紙吸引手段等を備えている。
【００１８】
記録ヘッド１２１は、ブラックインクを吐出するブラックインク用記録ヘッドと、ダークイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１９】
キャリッジ１２２は、図２に示すように、主走査方向に設けられているレール１２７にベアリングを介して載置され、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。ＦＦＣ１２３は、一端が制御部のコネクタに接続され、他端が記録ヘッド１２１のコネクタに接続されており、記録信号を制御部から記録ヘッド１２１に送るようになっている。
【００２０】
インクチューブ１２４は、上記各色のインク用が配設されており、図示しないインク加圧供給手段を介して各一端が対応する各色のインクカートリッジ１０に繋がれ、各他端が対応する各色の記録ヘッド１２１に繋がれている。そして、インクチューブ１２４は、インク加圧供給手段によって加圧された各色のインクをインクカートリッジ１０から記録ヘッド１２１に送るようになっている。
【００２１】
紙送りローラ１２５は、図示しないモータから伝達される駆動力により正逆回転駆動するようになっている。従動ローラ１２６は、バネ等の付勢部材により紙送りローラ１２５に押圧されており、紙送りローラ１２５の正逆回転駆動に追従して正逆回転するようになっている。そして、紙送りローラ１２５とその従動ローラ１２６は、給紙されるロール紙を挟持して送り出すようになっている。
【００２２】
排紙部１３０は、図２及び図３に示すように、ロール紙を副走査方向に搬送して排紙する排紙ローラ１３１とその従動ローラ１３２等を備えている。排紙ローラ１３１は、モータから紙送りローラ１２５を介して伝達される駆動力により正逆回転駆動するようになっている。従動ローラ１３２は、バネ等の付勢部材により排紙ローラ１３１に押圧されており、排紙ローラ１３１の正逆回転駆動に追従して正逆回転するようになっている。排紙ローラ１３１とその従動ローラ１３２は、搬送されるロール紙を挟持して送り出すようになっている。
【００２３】
媒体切断装置２００は、記録完了したロール紙をカッティングするカッタ２１０、ロール紙をカッティングする際にロール紙を保持する保持機構２２０等を備えている。ロール紙は、保持機構２２０によりズレが生じないように保持されて、カッタ２１０により所定の長さにカッティングされるようになっている。このような構成の本発明の特徴的な部分である媒体切断装置２００の詳細について、さらに図４を参照して以下説明する。
【００２４】
図４は、上記媒体切断装置２００の詳細を示す斜視図である。カッタ２１０は、刃先が下方を向いた状態で配設されている片刃２１１と、この片刃２１１を上下動させるソレノイドコイル２１２を備えており、キャリッジ１２２に取り付けられている。このような構成のカッタ２１０は、片刃２１１がソレノイドコイル２１２により下降されてキャリッジ１２２によりハウジング１１１内の前面側から見て左側から右側へ向かう主走査方向に移動されるので、ロール紙Ｒを幅方向にカッティングすることができる。また、片刃２１１がソレノイドコイル２１２により上昇されて退避するので、カッティングしないときはロール紙Ｒ等との干渉を防止することができる。
【００２５】
保持機構２２０は、ロール紙を押圧する押圧部材２２１と、この押圧部材２２１を上下動させるソレノイドコイル２２２を備えており、ハウジング１１１内の前面側から見て左側のフレーム等に取り付けられている。このような構成の保持機構２２０は、押圧部材２２１がソレノイドコイル２２２により下降されてロール紙Ｒの端部を押さえて保持するので、ロール紙Ｒには吸引による保持力のみならず押えによる保持力も加わる。したがって、ロール紙Ｒをカッティングする際にロール紙Ｒにズレが生じることを防止することができる。また、押圧部材２２１がソレノイドコイル２２２により上昇されて退避するので、カッティングしないときはロール紙Ｒ等との干渉を防止することができる。
【００２６】
また、押圧部材２２１がソレノイドコイル２２２により下降されてロール紙Ｒの切断開始側を押えて保持するので、切断開始点ではロール紙Ｒの下部に隙間が生じることは無い。さらに、切断開始以降は切断方向にロール紙Ｒが引っ張られるのでロール紙Ｒの下部に隙間が生じることが無い。このため、ロール紙Ｒを高精度にカッティングすることができる。
【００２７】
なお、上述した実施形態では、カッタ２１０をキャリッジ１２２に取り付けるように構成したが、単独で主走査方向に移動可能に構成しても良い。また、カッタ２１０に片刃２１１を使用したが、両刃やいわゆる丸棒カッタ等を使用しても良い。また、片刃２１１の上下動にソレノイドコイル２１２を使用したが、エアシリンダや油圧シリンダ、モータとギア機構もしくはプーリ機構等を使用しても良い。
【００２８】
また、保持機構２２０をハウジング１１１内の前面側から見て左側のフレーム等に１つ取り付けるようにしたが、右側や中央等に取り付けても良く、さらに複数取り付けても良い。また、押圧部材２２１の上下動にソレノイドコイル２２２を使用したが、エアシリンダや油圧シリンダ、モータとギア機構もしくはプーリ機構等を使用しても良い。
【００２９】
脚部１４０は、図１及び図２に示すように、移動用のコロ１４１を有する２本の支持柱１４２を備えている。そして、支持柱１４２の上部に本体部１１０が載置されネジ止め固定されるようになっている。支持柱１４２に移動用のコロ１４１が配設されていることにより、重量のある本体部１１０を所望の位置へスムーズに移動させて設置することができるようになっている。
【００３０】
給紙部１５０は、図１及び図３に示すように、本体部１１０の下方であって脚部１４０の間に配設されており、ロール紙の両端を支持する一対の支持部１５１、ロール紙を給送する送り出しローラ１５２とピンチローラ１５３を備えている。さらに、支持部１５１が固定されているとともに、送り出しローラ１５２とピンチローラ１５３の各両端が軸支されている一対のアーム部１５４を備えている。このような構成の給紙部１５０の詳細について、さらに図５を参照して以下説明する。
【００３１】
図５は、上記給紙部１５０の詳細を示す斜視図である。一対の支持部１５１は、対向配置される一対のアーム部１５４の対向面にそれぞれ固定して取り付けられている。そして、一対の支持部１５１は、軸受が内蔵されており、図６に示すロール紙Ｒの内周部に貫装されてロール紙Ｒを支持するスピンドル１５５の両端を回動自在に軸支持するようになっている。
【００３２】
すなわち、スピンドル１５５は、中央にロール紙Ｒが嵌め込まれてロール紙Ｒの両側に一対のフランジ状のロール紙押さえ１５６が嵌め込まれ、一対の支持部１５１の間に架け渡されるようになっている。ユーザは、スピンドル１５５が取り付けられたロール紙を持ち上げて、スピンドル１５５の両端を一対の支持部１５１に嵌め込むのみでロール紙の装着を完了させることができるので、ロール紙のセッティング作業工数を大幅に減少させることができる。
【００３３】
送り出しローラ１５２とピンチローラ１５３は、各両端が対向配置される一対のアーム部１５４の対向面にそれぞれ回動自在に軸支持されている。すなわち、送り出しローラ１５２とピンチローラ１５３は、一対のアーム部１５４の間に架け渡されるようにして配設されている。そして、送り出しローラ１５２の両端は一対のアーム部１５４の対向面の一定箇所に軸支持されているが、ピンチローラ１５３は送り出しローラ１５２に対して当接・離間可能なように、ピンチローラ１５３の両端軸は一対のアーム部１５４の対向面に設けられた例えば溝内を移動可能に軸支持されている。そして、ピンチローラ１５３は、送り出しローラ１５２に対して当接した位置及び離間した位置にて、例えばアーム部１５４の対向面に設けられた係止部材と付勢部材等を用いたロック機構によりロックされるようになっている。
【００３４】
ユーザは、支持部１５１に内蔵されている軸受により、ロール紙の先端部を容易に引き出すことができるとともに、ピンチローラ１５３の移動機構により、ロール紙の先端部を送り出しローラ１５２とピンチローラ１５３の間に容易に挿入・挟持させることができるので、ロール紙のセッティング作業工数を大幅に減少させることができる。
【００３５】
一対のアーム部１５４は、脚部１４０の２本の支持柱１４２の対向面にそれぞれ図示矢印方向に回動自在に取り付けられている。そして、一対のアーム部１５４の回動は、図７に示すロール紙のセッティング位置と図５に示すロール紙の給紙位置にて、例えば支持柱１４２の対向面に設けられた係止部材と付勢部材等を用いたロック機構によりロックされて位置決めされるようになっている。
【００３６】
すなわち、一対のアーム部１５４をロール紙のセッティング位置に回動させたときは、送り出しローラ１５２とピンチローラ１５３はインクジェット式プリンタ１００の前面側に飛び出し、一対のアーム部１５４をロール紙の給紙位置に回動させたときは、送り出しローラ１５２とピンチローラ１５３はインクジェット式プリンタ１００の背面側に回り込んで、ロール紙の搬送経路と接続されるようになっている。
【００３７】
ユーザは、ロール紙の先端部を送り出しローラ１５２とピンチローラ１５３の間に挿入・挟持させる際、インクジェット式プリンタ１００の背面側に潜り込まなくても、インクジェット式プリンタ１００の前面側にて通常の立ち位置で作業を行うことができるので、ロール紙のセッティング作業工数を大幅に減少させることができる。
【００３８】
なお、上述した実施形態では、一対の支持部１５１は、対向配置される一対のアーム部１５４の対向面にそれぞれ固定して取り付けられ、アーム部１５４とともに回動する構成としたが、脚部１４０の２本の支持柱１４２の対向面に取り付けられたアーム部１５４の回動軸と同芯の軸にそれぞれ固定して取り付けるように構成しても同様の効果を奏する。すなわち、アーム部１５４の回動とは無関係に常に一定位置に固定された支持部１５１としても良い。
【００３９】
このような構成において、インクジェット式プリンタ１００の使用手順を図６〜図１２を参照して説明する。先ず、図６（Ａ）に示すように、ユーザは、スピンドル１５５に嵌め込まれている一対のロール紙押さえ１５６の一方をスピンドル１５５の一端から引き抜く。そして、図６（Ｂ）に示すように、ユーザは、スピンドル１５５の一端をロール紙Ｒの軸穴Ｃの一端から挿入して貫通させる。
【００４０】
さらに、ユーザは、図６（Ｃ）に示すように、ロール紙Ｒの軸穴Ｃの一端をスピンドル１５５の他端側に挿入固定されている他方のロール紙押さえ１５６に嵌め込んで当接させる。続いて、ユーザは、一方のロール紙押さえ１５６をスピンドル１５５の一端から挿入して、ロール紙Ｒの軸穴Ｃの他端に嵌め込む。これにより、ロール紙Ｒはスピンドル１５５と共に回転可能となる。
【００４１】
次に、ユーザは、例えば送り出しローラ１５２を手前に引いてアーム部１５４を揺動させ、ロール紙の給紙位置に位置決めされている状態（図５参照）にあるアーム部１５４を図７（Ａ）に示すロール紙のセッティング位置に位置決めしてロックする。そして、ユーザは、スピンドル１５５が挿入されたロール紙Ｒを支持部１５１の上方へ持ち上げ、図７（Ｂ）に示すように、スピンドル１５５の両端部を各支持部１５１の窪み１５１ａにそれぞれ嵌め込む。このように、スピンドル１５５の両端を一対の支持部１５１に嵌め込むのみでロール紙の装着を完了させることができるので、ロール紙のセッティング作業工数を大幅に減少させることができる。
【００４２】
次に、図８（Ａ）に示すように、ユーザは、ピンチローラ１５３を持ち上げて送り出しローラ１５２に対して離間させてロックする。そして、ロール紙Ｒの先端部を前方に引き出してピンチローラ１５３と送り出しローラ１５２の間に通す。続いて、図８（Ｂ）に示すように、ユーザは、ピンチローラ１５３を押し下げて送り出しローラ１５２に対して当接させてロックし、ロール紙Ｒの先端部をピンチローラ１５３と送り出しローラ１５２の間に挟持させる。このように、インクジェット式プリンタ１００の前面側にて通常の立ち位置でロール紙の先端部を引き出して送り出しローラ１５２とピンチローラ１５３に挟持させることができるので、ロール紙のセッティング作業工数を大幅に減少させることができる。
【００４３】
次に、図９（Ａ）に示すように、ユーザは、例えば送り出しローラ１５２を奥へ押してアーム部１５４を揺動させ、ロール紙のセッティング位置に位置決めされている状態にあるアーム部１５４をロール紙の給紙位置に位置決めする。これにより、ピンチローラ１５３と送り出しローラ１５２の間に挟持されているロール紙Ｒの先端部歯、給紙案内１５７の入口に位置決めされる。
【００４４】
ここで、ユーザが操作パネル１７０を操作してインクジェット式プリンタ１００を起動させると、図９（Ｂ）に示すように、送り出しローラ１５２が回転を開始する。そして、ピンチローラ１５３と送り出しローラ１５２の間に挟持されているロール紙Ｒは、給紙案内１５７に案内されて上方の記録部１２０へ送り出される。そして、図１０に示すように、ロール紙Ｒは、紙送りローラ１２５とその従動ローラ１２６に挟持されるとともに、排紙ローラ１３１とその従動ローラ１３２に挟持されて副走査方向に搬送されつつ主走査方向に移動する記録ヘッド１２１から吐出されるインク滴により所定の情報が記録される。
【００４５】
この記録完了後、図１１に示すように、ロール紙Ｒは搬送停止され、ロール紙Ｒの端部が下降してきた保持機構２２０により押えられる。そして、ロール紙Ｒは下降して主走査方向に移動するカッタ２１０によりカッティングされる。最後に、図１２に示すように、保持機構２２０及びカッタ２１０は上昇して退避し、カッティングされたロール紙Ｒは、排紙ローラ１３１とその従動ローラ１３２に挟持されて排紙される。
【００４６】
以上のように、本実施形態の媒体切断装置２００を備えたインクジェット式プリンタ１００によれば、ロール紙には吸引による保持力のみならず押えによる保持力も加わることになるので、ロール紙のカッティング時におけるズレを防止することができ、ロール紙を高精度にカッティングすることができる。さらに、ロール紙の切断開始側を押えて保持するので、切断開始点ではロール紙の下部に隙間が生じることは無く、さらに切断開始以降は切断方向にロール紙が引っ張られるのでロール紙の下部に隙間が生じることが無いため、ロール紙を高精度にカッティングすることができる。また、保持機構２２０は、ロール紙を押圧する押圧部材２２１と、この押圧部材２２１をロール紙に対し当接・離間させるソレノイドコイル２２２を備えているので、ロール紙を切断しないときは退避させておくことができ、ロール紙との干渉を防止することができる。
【００４７】
以上、本発明を種々の実施形態に関して述べたが、本発明は以上の実施形態に限られるものではなく、特許請求の範囲に記載された発明の範囲内で、他の実施形態についても適用されるのは勿論である。例えば、上述した実施形態では、記録装置としてインクジェット式プリンタを例に説明したが、これに限定されるものではなく、切断装置を使用する記録装置であれば、例えばファクシミリ装置、コピー装置等であっても適用可能である。さらに、媒体を切断する装置であれば記録装置に限定されるものではなく、記録装置以外の装置にも適用可能である。
【図面の簡単な説明】
【図１】本発明の実施の形態に係る記録装置の１つであるインクジェット式プリンタの構成例を示す斜視図である。
【図２】図１のプリンタの主要部の内部構成例を示す斜視図である。
【図３】図１のプリンタの主要部の断面図である。
【図４】図１のプリンタの媒体切断装置の詳細を示す斜視図である。
【図５】図１のプリンタの給紙部の詳細を示す斜視図である。
【図６】図１のプリンタの使用手順を示す第１の図である。
【図７】図１のプリンタの使用手順を示す第２の図である。
【図８】図１のプリンタの使用手順を示す第３の図である。
【図９】図１のプリンタの使用手順を示す第４の図である。
【図１０】図１のプリンタの使用手順を示す第５の図である。
【図１１】図１のプリンタの使用手順を示す第６の図である。
【図１２】図１のプリンタの使用手順を示す第７の図である。
【符号の説明】
１０  インクカートリッジ、１００  インクジェット式プリンタ、１１０  本体部、１１１  ハウジング、１１２  上蓋、１１３  前蓋、１２０  記録部、１２１  記録ヘッド、１２２  キャリッジ、１２３  ＦＦＣ、１２４  インクチューブ、１２５  紙送りローラ、１２６  従動ローラ、１２７  レール、１２８  キャリッジベルト、１３０  排紙部、１３１  排紙ローラ、１３２  従動ローラ、１４０  脚部、１４１  コロ、１４２  支持柱、１５０  給紙部、１５１  支持部、１５２  送り出しローラ、１５３  ピンチローラ、１５４  アーム部、１５５  スピンドル、１５６  ロール紙押さえ、１５７  給紙案内、１６０  インクカートリッジホルダ、１６１  ホルダ本体、１６２  カバー、１７０  操作パネル、２００  媒体切断装置、２１０  カッタ、２１１  片刃、２１２  ソレノイドコイル、２２０  保持機構、２２１  押圧部材、２２２  ソレノイドコイル
【図１】
2005014095.tif 000003
【図２】
2005014095.tif 000004
【図３】
2005014095.tif 000005
【図４】
2005014095.tif 000006
【図５】
2005014095.tif 000007
【図６】
2005014095.tif 000008
【図７】
2005014095.tif 000009
【図８】
2005014095.tif 000010
【図９】
2005014095.tif 000011
【図１０】
2005014095.tif 000012
【図１１】
2005014095.tif 000013
【図１２】
2005014095.tif 000014